(57)【要約】【課題】ブックエンドの重量を増加させることなく、ブックエンドに対する書籍等の荷重や外部からの衝撃等により、ブックエンドが横滑りしてブックエンド間の幅が不要に広がるのを防止する。【解決手段】ブックエンド連結用保持具１は、載置部２の長手方向側両端に形成された係合部３を、ブックエンド５の開口部８に適宜挿通した後、挿入時とは態勢を変えて突起４が開口部４の周縁に突当して抜けない係合した状態とすることで、ブックエンド連結用保持具１を介してブックエンド５、５を連結する。【選択図】　図２
2004016380.tif 000002
【特許請求の範囲】
【請求項１】
書籍等が載置可能な平面を有する所望の長さの載置部と、この載置部の長手方向側両端に形成され、その両側縁から対称方向に突出した突起を有する係合部とで構成されたことを特徴とするブックエンド連結用具。
【請求項２】
接地面に対し略垂直に立設する立設部、この立設部の基端側から書籍等の並設方向に沿って延びる舌片部、及び前記立設部に形成された開口部から成るなる一対のブックエンドに対し、
請求項１に記載のブックエンド連結用具の両係合部を前記ブックエンドの開口部の長手方向に略沿った態勢で挿通した後、
前記ブックエンド連結用具を挿入時とはその態勢を変えて、前記ブックエンド連結用具の突起がブックエンドの開口端の周縁部位に突当して抜けない状態とすることにより、
当該ブックエンド連結用具を介して前記一対のブックエンドを連結することを特徴とするブックエンド連結用具の使用方法。
【発明の詳細な説明】
【０００１】
【発明の属する技術分野】
この発明は、机や本棚の面上に対向して載置され、その間に配された書籍等を挟持することにより、当該書籍等を起立状態にて保持する一対のブックエンドを相互に連結するための器具及びその使用方法に関するものである。
【０００２】
【従来の技術】
この種のブックエンドは、図４に示される様に、一般的に、机等の接地面に平行に延びる基部１００と、この基部１００の一方端から略垂直に立設する立設部１０１と、この立設部１０１から前記基部１００とは反対方向に机等の接地面と平行に延びる舌片部１０２とで構成されている。このブックエンドを少なくとも一対使用して、両者を対向させその間に書籍等を挟持することで使用される。
【０００３】
【発明が解決しようとする課題】
しかしながら、ブックエンドの重量は、相対的に軽量なものとなっている。このため、ブックエンドに対し書籍等の荷重や外部からの衝撃等により、ブックエンド間の幅が広がる方向に横滑りする可能性がある。
【０００４】
そして、ブックエンド間の幅が広がる方向にブックエンドが横滑りした場合には、ブックエンド間で挟持され、立設されていた書籍等が転倒したり、机等の面とブックエンドとが擦れて机等の面に傷が付いたりするという不具合が生ずる可能性がある。
【０００５】
この不具合を解消するために、上述した公知のブックエンドも、舌片部１０２上に書籍等を載置して、当該載置した書籍を重石とし、ブックエンドの横滑りの防止を図っている。
【０００６】
もっとも、この舌片部１０２は、一般的に立設部１００にＵ字状に切り込みを入れ、この切り込み片を起立させることにより構成されるため、舌片部１０２の長さは立設部１００の高さによる制限を受けてしまい、舌片部１０２の長さを十分に確保することができないので、舌片部１０２に載置された書籍等を重石とするのみでは重量的に不十分で、ブックエンドの横滑りの防止にも限界がある。
【０００７】
また、ブックエンドの材質の変更などにより重量を相対的に大きくすることで、ブックエンド自体が重石となって、ブックエンド間の幅が広がる方向にブックエンドが横滑りするのを防止することも考えられるが、これではブックエンドの持ち運び等に支障をきたすこととなる。
【０００８】
そこで、この発明は、ブックエンドの重量を増加させることなく、ブックエンドに対する書籍等の荷重や外部からの衝撃等により、ブックエンドが横滑りしてブックエンド間の幅が不要に広がるのを防止することを可能としたブックエンド連結用具及びのその使用方法を提供することを目的とする。
【０００９】
【課題を解決するための手段】
この発明に係るブックエンド連結用具は、書籍等が載置可能な平面を有する所望の長さの載置部と、この載置部の長手方向側両端に形成され、その両側縁から対称方向に突出した突起部を有する係合部とで構成されたことを特徴とする（請求項１）。ここで、載置部の所望の長さとは、例えばブックエンドの舌片部の立設部からの延出方向に対し２倍以上の長さを有することである。
【００１０】
そして、このブックエンド連結用具の使用方法は、接地面に対し略垂直に立設する立設部、この立設部の基端側から書籍等の並設方向に沿って延びる舌片部、及び前記立設部に形成された開口部から成るなる一対のブックエンドに対し、請求項１に記載のブックエンド連結用具の両係合部を前記ブックエンドの開口部の長手方向に沿った態勢で挿通した後、前記ブックエンド連結用具を挿入時とはその態勢を変えて、前記ブックエンド連結用具の突起がブックエンドの開口端の周縁部位に突当して抜けない状態とすることにより、当該ブックエンド連結用具を介して前記一対のブックエンドを連結するものである（請求項２）。
【００１１】
これによって、一対のブックエンドは、ブックエンド連結用具を介して相互に連結された状態となり、しかもブックエンド連結用具の載置部に載置された書籍等が重石としての役割を果たすので、ブックエンドに対する書籍等の荷重や外部からの衝撃等により、ブックエンド間の幅が広がる方向にブックエンドが横滑りしたりブックエンドの向きが変わるのを防止することが可能である。
【００１２】
しかも、このブックエンド連結用具は、ブックエンドとは別個の部材で構成されて、ネジ、ボルト等の固定手段により固定されていないので、必要に応じてブックエンドを載置部の長手方向に沿って他のブックエンドに近接させる方向に動かすことができ、ブックエンド間に挟持する書籍等のためのスペースをある程度調整することもできる。また、ブックエンド連結用具の載置部は、書籍等の並列方向に沿った寸法を、ブックエンドの立設部の高さ等に影響されることなく自由に決定すことができる。
【００１３】
更には、ブックエンドの構造は何ら変えることがないので、ブックエンドの重量が従来品に比し重くなることもなく、既成のブックエンドをそのまま用いることができる。
【００１４】
【発明の実施の形態】
以下、この発明の実施の形態を図面により説明する。
【００１５】
図１から図３において、この発明のブックエンド連結用具１の構成及びその使用状態の一例が示されている。
【００１６】
このブックエンド連結用具１は、例えば、アルミニウムやスチール等の比較的軽量の金属等やある程度の強度を有するプラスチック等の合成樹脂からなる薄板状のもので、図１に示される様に、書籍等を載置する載置部２と、この載置部２の長手方向の両側端に当該載置部２と一体的に形成された係合部３、３とで構成されている。
【００１７】
このうち、載置部２は、書籍をがたつきなく並列的に載置することが可能な平面を有し、その書籍等の並列方向に沿った寸法は、図２に示す使用状態では、ブックエンド５の舌片部７の立設部６からの延出方向に沿った寸法に対し２倍以上の長さを有していることが望まれる。
【００１８】
これに対し、係合部３は、書籍等の並列方向と直交する方向に延出した２つの突起４、４を有して構成されたもので、一方の突起４の端から他方の突起４の端までの幅は、ブックエンド５の立設部６に形成された開口部８の短手方向の幅、即ち図面上横幅よりは大きく、当該開口部８の長手方向の幅、即ち図面上縦幅よりは小さな寸法となっている。
【００１９】
このようなブックエンド連結用具１の構成によれば、例えば、ブックエンド連結用具１を一対のブックエンド５，５に対し、係合部３をブックエンド５の開口部８の長手方向に沿った態勢で挿通した後、開口部８の短手方向の幅に沿った態勢にその向きを可変することにより、ブックエンド連結用具１は、当該可変後の態勢のまま開口部８から引き抜こうとしても係合部３の突起４が開口部８の周縁部位に突当してできない状態となる。これにより、一対のブックエンド５，５は、図２に示される様に、ブックエンド連結用具１を介して緩やかに連結された状態となる。
【００２０】
しかるに、ブックエンド５に対する書籍等の荷重や外部からの衝撃等により、ブックエンド５，５間の幅が広がる方向にブックエンド５が横滑りするのを完全に防ぐことができる。また、ブックエンド連結用具１とブックエンド５，５とが係合した状態では、載置部２はブックエンド５の舌片部７と重なった状態となるので、ブックエンド５の補強も同時に図ることができる。
【００２１】
なお、ブックエンド連結用具１の使用方法であるが、図２に示す様に、必ず両係合部３をブックエンド５に係合する必要はなく、図３に示される様に、係合部３の一方のみをブックエンド５に係合させるようにしても良い。
【００２２】
このような使用方法でも、ブックエンド５の舌片部７よりも書籍等の並列方向に沿った寸法の長い載置部２を得ることができる。これにより、載置部２に載置される書籍等の数が相対的に増加し、当該書籍等の重石としての機能が向上するので、ブックエンド５に対する書籍等の荷重や外部からの衝撃等により、ブックエンド５，５間が広がる方向にブックエンド５が当該横滑りするのを抑制することが可能である。
【００２３】
尚、図３に示す使用状態のみで使用されるブックエンド連結用具１においては、載置部２の書籍等の並列方向に沿った寸法は、ブックエンド５の舌片部７よりも長ければ良く、また、図示しないが、係合部３も載置部２の片側にのみ形成されるようにしても構わない。
【００２４】
最後に、この発明のブックエンド連結用具１について、図１（ａ）で正面図としてその形態が示されているが、背面図として示される形態も、この正面図として示される形態と同じである。また、この発明のブックエンド連結用具１について、図１（ｂ）で平面図としてその形態が示されているが、底面図として示される形態も、この平面図として示される形態と同じである。更にまた、この発明のブックエンド連結用具１について、図１（ｃ）で右側面図としてその形態が示されているが、左側面図として示される形態も、この右側面図として示される形態と同じである。
【００２５】
【発明の効果】
以上のように、本願の発明によれば、一対のブックエンをブックエンド連結用具を介して相互に連結し、しかもブックエンド連結用具の載置部に載置された書籍等が重石としての役割を果たすので、ブックエンドに対する書籍等の荷重や外部からの衝撃等により、ブックエンド間が広がる方向にブックエンドが横滑りしたりブックエンドの向きが変わるのを防止することができる。
【００２６】
また、本願の発明によれば、このブックエンド連結用具は、ブックエンドとは別個の部材で構成されて、ネジ、ボルト等の固定手段により固定されていないので、必要に応じてブックエンドを載置部の長手方向に沿って他のブックエンドに近接させる方向で動かすことができ、ブックエンド間に挟持する書籍等のためのスペースをある程度調整することができる。
【００２７】
更には、ブックエンド連結用具の載置部は、書籍等並列方向に沿った寸法について、ブックエンドの立設部の高さ等に影響されないので、ブックエンド間に挟持する書籍等の数を想定して自由に決定すことができる。これに伴い、載置部の書籍等の並列方向に沿った寸法の異なるブックエンド用連結用具を多様に用意することにより、ブックエンド用連結用具を交換するのみで、利用者の希望するように書籍等を挟持するためのスペースを変えることも可能である。
【００２８】
更にまた、ブックエンドの構造は何ら変えることがないため、ブックエンドの重量が従来品に比し重くなることもなく、既成のブックエンドをそのまま用いることができる。
【図面の簡単な説明】
【図１】図１は、本願発明に係るブックエンド連結用具の構成を示す説明図で、（ａ）は正面図、（ｂ）は平面図、（ｃ）は右側面図である。
【図２】図２は、同上のブックエンド連結用具の使用状態を示す参考斜視図である。
【図３】図３は、同上のブックエンド連結用具の係合部のうち片側のみをブックエンドの開口端近傍部位に係合した状態を示す参考斜視図である。
【図４】図４は、既存のブックエンドの構成を示す斜視図である。
【符号の説明】
１　ブックエンド連結用具
２　載置部
３　係合部
４　突起
５　ブックエンド
６　立設部
７　舌片部
８　開口部
【図１】
2004016380.tif 000003
【図２】
2004016380.tif 000004
【図３】
2004016380.tif 000005
【図４】
2004016380.tif 000006